(57)【要約】【課題】母趾に対して内反方向へ、第１中足骨に対しては外反方向に向く外力を加えると同時に該母趾とへ、第１中足骨ににひねりを矯正する外力も加えることのできる外反母趾矯正具。【解決手段】母趾６の関節機能を妨げることなく該母趾６の横側に沿い作用バー用ベルト１’によって取り付けられる作用バー１と、この作用バー１の端部を挟み中心軸とするピン３を介して回動自在構造とする左右のサイド板４’を構成し、一方の横側位置を支点位置として第１中足骨の骨頭部７に当接させる連結部４と、この連結部４の端部から”土踏まず”のアーチに沿うように形状構成され足の横側に基部バー用ベルト２’で緊縛状態可能とされるように一体構成され若干長さを有する基部バー２と、からなるてこ機能を構成し、母趾先に内反方向へ第１中足骨には外反方向への外力を加えると同時に母趾先及び第１中足骨のひねり矯正可能とする外力も加えることができるようにした。【選択図】図３
2010284210.tif 000002
【特許請求の範囲】
【請求項１】
母趾先に内反、第１中足骨には外反方向の外力を加える同時に母趾先と第１中足骨にひねりを矯正できる外力も加えることのできる機能構成手段として、母趾の関節機能を妨げることなく該母趾の横側に沿いベルトによって取り付けられる作用バーと、この作用バーの端部を挟み中心軸とするピンを介して回動自在構造とする左右のサイド板を構成し、その一方の横側位置を支点位置として第１中足骨の骨頭部に当接させる連結部と、この連結部の端部から”土踏まず”のアーチに沿うように形状構成で一体構成され足の横側にベルトで緊縛状態可能とされるように若干長さを有する基部バーと、とからなるてこ機能を構成したことを特徴とする外反母趾矯正具。
【請求項２】
作用バーの回動端部とこれをピンを介し回動自在構造として挟む左右のサイド板をともに円盤形状とし、更に第１中足骨の骨頭部を支点位置とする作用時諸条件において、母趾の関節機能が妨げられることなく、かつ、加えられる母趾先への内反方向、骨頭部を介してなされる第１中足骨の外反方向への外力と同時に該母趾先及び第１中足骨におけるひねりを矯正する外力も加えることのできることを特徴とする請求項１記載の外反母趾矯正具。
【請求項３】
第１中足骨の骨頭部に当接させる側のサイド板部位にクッション用とし、かつ、支点位置とされる骨頭部の形状諸条件における位置ずれ防止などを機能させるための吸盤状のパッドを備えたことを特徴とする請求項１、２記載の外反母趾矯正具。
【発明の詳細な説明】
【技術分野】
【０００１】
本発明は、外反母趾を矯正するための矯正具に関するものである。
【背景技術】
【０００２】
外反母趾を矯正する用具としてさまざまな提案と用具のものが多く実用に供されているが、いずれのも例えば伸縮性を有するベルトなどを採用し母趾に対し内反方向、第１中足骨に対して外反方向に向く外力を加えることのできるように引張力を作用させることを特徴としている。
また、これとは別仕様のもので母趾を先端部に固定する反りのついたレバーのもう一方側を足に固定し、反りを支点とするてこ作用で母趾を反対側に反らし固定状態とするなどを特徴とするものもある。
【０００３】
しかし、前者のものは用いる素材などが伸縮性を有するベルトなどのため、用法又はその手順要領次第によってはそれぞれの部位に必要とする所定の引張力の不足又は効力がみられないことでその矯正効果にばらつきを生じやすく、後者のものは母趾関節ともども固定状態を主とすることで、所謂外科療法の副え木的効果を示し外反母趾矯正具としての機能性に欠ける問題点があった。
【特許文献１】特開平１１-０７６２８３号公報
【特許文献２】特開２００６−２４７３３５号公報
【発明の開示】
【発明が解決しようとする課題】
【０００４】
以上のように、母趾に対し内反方向、第１中足骨には外反方向に向く外力を加えるように引張力を作用させるために用いる伸縮性を有するベルトなどが、用法又はその手順要領次第によってはそれぞれの部位に所要とする引張力の不足を生じやすく矯正効果に期待できない点、また、レバーなどを用いてこ作用利用するものは、該母趾を内向方向に引き固定する所謂副え木的単機能であるという問題点に鑑みて、本発明は、第１中足骨の骨頭部を介して該第１中足骨に対しては外反方向に向く外力を加え、母趾先に対してはこの母趾の関節機能を妨げることなく内反方向へ向く外力を加え更に骨頭部の形状諸条件で第１中足骨に所要のひねり矯正の外力を加えることのできる外反母趾矯正具を提供することにある。
【課題を解決するための手段】
【０００５】
本発明は、母趾の関節機能を妨げることなく該母趾の横側に沿いベルトによって取り付けられる作用バーと、この作用バーの端部を挟み中心軸とするピンを介して回動自在構造とする左右のサイド板を構成し、その一方の横側位置を支点位置として第１中足骨の骨頭部に当接させる連結部と、この連結部の端部から”土踏まず”のアーチに沿うように形状構成で一体構成され足の横側にベルトで緊縛状態可能とされるように若干長さを有する基部バーと、とからなるてこ機能を構成したことを最も主要な特徴とする。
これにより、母趾先に内反方向へ、第１中足骨には外反方向への外力を加えると同時に母趾先及び第１中足骨に所要とするひねり矯正を可能とする外力も加えることができるという目的を実現した。
【発明の効果】
【０００６】
本発明の外反母趾矯正具は、柔軟なベルトなどを主として構成するサポーター仕様及び副え木的仕様を特徴とする矯正具と異なり、母趾先に対して内反方向へ、第１中足骨に対しては外反方向へ向く外力を加えることのできる直接作用力を、母趾の関節機能を妨げることなく取り付ける作用バーと、この作用バーを回動自在で構成し、第１中足骨の骨頭部を支点位置とする連結部を一体構成するアーチ形状の基部バーと、で構成するてこ作用で機能構成させたことは、外反母趾矯正具としての効率が高く大いに優れている。
【０００７】
請求項２作用バーの回動端部と、これを回動自在構造で挟む左右のサイド板を円盤形状とし、支点位置とする第１中足骨の骨頭部の形状における当接時諸条件において、母趾の関節機能が妨げられることのないように、かつ、母趾先及び第１中足骨に加えられる所要の外力と同時にひねりも矯正する外力も加えることができように機能構成されていることは大いに優れている。
【０００８】
請求項３の第１中足骨の骨頭部に当接させるサイド板にクッション用とし、かつ、当接作用時諸条件における位置ずれ防止をすることで所定の所要作用を損なうことなく機能させるためのパッドを吸盤状で設けたことは、機能維持構成において大いに優れている。
【発明を実施するための最良の形態】
【０００９】
母趾の関節機能を妨げることなく該母趾の横側に沿いベルトによって取り付けられる作用バーと、この作用バーの端部を挟み中心軸とするピンを介して回動自在構造とする左右のサイド板を構成し、その一方の横側位置を支点位置として第１中足骨の骨頭部に当接させる連結部と、この連結部の端部から”土踏まず”のアーチに沿うように形状構成で一体構成され足の横側にベルトで緊縛状態可能とされるように若干長さを有する基部バーと、とからなるてこ機能を構成し、第１中足骨の骨頭部を介して行う外力直接作用による外反母趾の矯正手段を提供するという目的を最少の部材もって実現した。
【実施例１】
【００１０】
本発明外反母趾矯正具の一実施例で、図１は該装置の各主要部分それぞれの組み合わせ構成を示す全体説明図で、図２は図１の主要部で作用バー１、サイド板４’を構成する連結部４と一体構成の基部バー２、パッド５などを示す部分側面図、図３はこの外反母趾矯正具の使用状態を示す説明図である。
以下図面に基づいて詳細に説明する。
【００１１】
外反母趾の症状は、例えば母趾先が外力などで圧迫を受けて外反すると、第１中足骨の骨頭部を介して第１中足骨は逆に内反することになり同時に該第１中足骨の回旋（ひねり）を生じ種子骨も変位するものである。
本発明の外反母趾矯正具は、この外反母趾症状を矯正しそれぞれを正しい位置に戻すため、母趾先には内反方向、第１中足骨には外反方向の外力を加えと同時に母趾先と第１中足骨におけるひねりを矯正する外力も加えることのできるてこ機能を採用したものである。
【００１２】
作用バー１は、若干幅と長さを有する平板状で剛性材からなり、母趾６に取り付けるための面ファスナー８付きの作用バー用ベルト１’を備え、一方の端部は連結部４の構成する左右のサイド板４’に挟まれ、設けられるピン３を中心軸にして回動自在構造になされている。
なお、その際、作用バー１の回動端部とこれをピン３を介し回動自在構造として挟む左右のサイド板４’をともに円盤形状とすることで、第１中足骨の骨頭部７を支点位置とする作用時諸条件で加えられる加圧力などにおいて、該回動機能が妨げられることがないように機能構成がなされているものである。
【００１３】
剛性を有して左右のサイド板４’を構成する連結板４は、作用バー１を回動自在に挟むその一方側のサイド板４’で支点位置とされる横側位置に、第１中足骨の骨頭部７に当接させる吸盤状のパッド５を取り付けることで、第１中足骨の骨頭部７におけるクッション用とし、かつ、第１中足骨の関節機能部位である第１中足骨の骨頭部７を支点位置としてこの骨頭形状に関わる作用時諸条件における位置ずれなどを防止させるとともに、母趾１先及び第１中足骨に加えられる所要の外力と同時にひねりも矯正する外力もか加えることができるように機能構成がなされるものである。
【００１４】
そして、連結部４の端部からは”土踏まず”のアーチに沿うように形状構成され足の横側に沿って取り付け、足底及び足甲の周囲を巻くことで緊縛状態ができるように面ファスナー８付き基部バー用ベルト２’を備える若干長さを有する剛性の基部バー２が一体構成されている。
【００１５】
このようになっていると、使用にあたり、作用バー１を備えられる面ファスナー８付き作用バー用ベルト１’により母趾６の関節機能を妨げることなく、該母趾６の横側に沿って取り付け、連結部４のサイド板４’の横側に設けられるパッド５を第１中足骨の骨頭部７に当接させ、連結部４と一体構成の基部バー２を”土踏まず”のアーチに沿うように足の横側に寄せ、面ファスナー８付き基部バー用ベルト２’により緊縛状態にすることで、支点を構成する第１中足骨の骨頭部７に当接するパッド５を介し作用バー１に加わるてこ作用力で面ファスナー８付き作用バー用ベルト１’を介し母趾６を引っ張ることで、該母趾６先を内反方向へ向く外力を加えるとともに第１中足骨には支点に当接する第１中足骨の骨頭部７を介して外反方向へ向く外力を加え、同時に第１中足骨の骨頭部７の骨頭形状及びこれに関わる関節機能諸条件から母趾６先及び第１中足骨におけるひねりを矯正する外力も加えることになる。
【００１６】
その際、作用バー１及び左右のサイド板４’を構成する連結部４にかかる負荷により生ずるゆがみやねじれなどで、作用バー１の端部と左右のサイド板４’とで構成する回動自在作用が妨げられることのないように、それぞれの接触面を円盤状とし、剛性を有する作用バー１、左右のサイド板４を構成する連結部４と一体構成される基部バー２とで構成される剛性効果で、母趾６の所要とする関節機能が妨げられることのないようになされている。
なお、本発明の外反母趾矯正具におけるそれぞれの機能構成は、外反母趾症状の起因とされる加圧条件を、逆に行うことができるように相応な外力を無理なく直接加えることができる装具療法とするもので、剛性材を主とするものではあるが、装着にあたり、歩行などを妨げることなく、また、足などに苦痛を与えるような外力を生じさせるものではなく、作用効果及び形状、素材ともにサポータ的な機能構成がなされているものである。
【産業上の利用可能性】
【００１７】
外反母趾矯正具は、外反母趾症状に限らず他の外科及び整形医療における保存療法に期待できる有効な手法の一つとし、また、構成する機能性が、家庭用のみならず産業上多方面の用途に応用利用が期待できる。
【図面の簡単な説明】
【００１８】
【図１】本発明外反母趾矯正具の一実施例における主要部の組み合わせ構成を示す全体説明図である。（実施例１）
【図２】図１の主要部分で、作用バー１及び取り付けられるパッド５とサイド板４’を構成し基部バー２を一体構成する連結部４などを示す部分側面図である。（実施例１）
【図３】本発明外反母趾矯正具の一実施例における使用状態を示す説明図である。（実施例１）
【符号の説明】
【００１９】
１    使用バー
１’  作用バー用ベルト
２    基部バー
２’  基部バー用ベルト
３    ピン
４    連結部
４’  サイド板
５    パッド
６    母趾
７    第１中足骨の骨頭部
８    面ファスナー
【図１】
2010284210.tif 000003
【図２】
2010284210.tif 000004
【図３】
2010284210.tif 000005